(57)【要約】  微細なスタイリングにも対応でき、意図したスタイリングを実現させやすいスタイリング性に優れたヘアアイロンを提供する。ヘアアイロン（１）は搖動可能に連結された第１把持体（１０）及び第２把持体（３０）を備える。第１把持体（１０）は、吸込口（１３）及び吹出口（１４）を備え、吹出口（１４）から空気を吹き出す。吹出口（１４）は、第１把持体（１０）の第１毛髪挟持部（１１）の加熱面を正面とする背面側に設けられると共に側方に向かって開口され、かつ、正面側に向けて空気を吹き出す吹出構造を有する。
2018235306.tif 000002
【特許請求の範囲】
【請求項１】
毛髪挟持部に加熱面を備えると共に搖動可能に連結された一対の長手状の把持体を備え、
前記一対の把持体の少なくとも何れか一方に、空気の吸込口及び吹出口と、前記吸込口及び前記吹出口を連通させる送風ダクトと、前記送風ダクトに気流を流通させる送風ファンとを備え、
前記吹出口は、当該吹出口を備える前記把持体の前記加熱面を正面とする背面側に設けられると共に側方に向かって開口され、かつ、前記正面側に向けて空気を吹き出す吹出構造を有することを特徴とするヘアアイロン。
【請求項２】
前記毛髪挟持部は、前記一対の把持体の連結されている基端側とは反対の先端側に設けられ、
前記吹出口は、前記把持体の先端側を避けて前記把持体の長手方向の中央部寄りに設けられていることを特徴とする請求項１に記載のヘアアイロン。
【請求項３】
前記送風ダクトは、前記加熱面を含む加熱機構とは独立して設けられていることを特徴とする請求項１又は２に記載のヘアアイロン。
【請求項４】
前記吹出口から吹き出される空気が、前記加熱面の前記先端側端部の側方位置に到達することを特徴とする請求項１又は２に記載のヘアアイロン。
【請求項５】
前記吹出口は、前記背面側に互いに反対方向を向くように２箇所に設けられ、
前記送風ダクトに、前記送風ファンが流通させる気流を前記２箇所の吹出口各々に向けるよう流路を分岐する分岐部が設けられ、
前記分岐部は、空気流通方向に沿って配設された複数の分岐リブを備え、
前記複数の分岐リブは、前記一対の把持部の幅方向中央部から前記吹出口に近づくにつれて前記一対の把持部の先端側に向かって傾斜し、かつ、空気流通方向上流側に配された分岐リブが空気流通方向下流側に配された分岐リブよりも低いことを特徴とする請求項２に記載のヘアアイロン。
【請求項６】
前記送風ダクトを流通する気流に帯電粒子を放出する帯電粒子発生装置を備えることを特徴とする請求項１から５の何れか１項に記載のヘアアイロン。
【請求項７】
ヘアアイロンにおける加熱面を備えた一対の毛髪挟持部に挟持されて加熱された毛髪に対して、前記加熱面を正面とする前記ヘアアイロンの背面側に設けた吹出口より空気を、少なくとも前記一対の毛髪挟持部の側方に風速０．５ｍ／ｓ以上で到達するように吹き付けて毛髪の形を整えることを特徴とする方法。
【請求項８】
前記風速０．５ｍ／ｓ以上の空気を、少なくとも前記一対の毛髪挟持部の側方９０ｍｍ以上に到達するように吹き付けて毛髪の形を整えることを特徴とする請求項７に記載の方法。
【請求項９】
吹き付けられる空気に帯電粒子が含まれていることを特徴とする請求項７又は８に記載の方法。
【発明の詳細な説明】
【技術分野】
【０００１】
本発明はヘアアイロンに関する。
【背景技術】
【０００２】
ヘアアイロンは、一般的な構成として長手状に形成されて搖動可能に連結された一対の把持体を備える。一対の把持体における連結された基端側とは反対の先端側の対向面に毛髪を挟持して整髪を行う毛髪挟持部が設けられ、毛髪挟持部における対向面が加熱面となっている。【０００３】
本願出願人は、先に特許文献１に開示されたヘアアイロンを発明している。このヘアアイロンは、送風機能を有しており、吹出口から空気を吹き出す構成である。このヘアアイロンにおいて、吹出口は把持体の毛髪挟持部が設けられている部分の側面に設けられている。
【先行技術文献】
【特許文献】
【０００４】
【特許文献１】日本国特許公報「特開２０１４−１３３０４８号公報」
【発明の概要】
【発明が解決しようとする課題】
【０００５】
特許文献１に開示されているヘアアイロにおいては、上述したように把持体の側面に吹出口を設けている。このような構成とすることで、吹出口に整髪剤が詰まったり、整髪中の毛髪自体が吹出口を塞いだりすることを抑制して、効率良く整髪が行えるという効果を有する。しかしながら、さらなる改善の余地を有している。【０００６】
本発明の一態様は、微細なスタイリングにも対応でき、意図したスタイリングを実現させやすいスタイリング性に優れたヘアアイロンを提供することを目的とする。
【課題を解決するための手段】
【０００７】
上記の課題を解決するために、本発明の一態様に係るヘアアイロンは、毛髪挟持部に加熱面を備えると共に搖動可能に連結された一対の長手状の把持体を備え、前記一対の把持体の少なくとも何れか一方に、空気の吸込口及び吹出口と、前記吸込口及び前記吹出口を連通させる送風ダクトと、前記送風ダクトに気流を流通させる送風ファンとを備え、前記吹出口は、当該吹出口を備える前記把持体の前記加熱面を正面とする背面側に設けられると共に側方に向かって開口され、かつ、前記正面側に向けて空気を吹き出す吹出構造を有することを特徴としている。
【発明の効果】
【０００８】
本発明の一態様によれば、把持体の背面側に設けられ、側方に向かって開口された吹出口より、把持体の正面側に向けて空気を吹き出す。これにより、微細なスタイリングにも対応でき、意図したスタイリングを実現させやすいスタイリング性に優れたヘアアイロンを提供することができるといった効果を奏する。
【図面の簡単な説明】
【０００９】
【図１】本発明の実施の形態１に係るヘアアイロンの外観斜視図であり、（ａ）は開状態、（ｂ）は閉状態を示す。
【図２】上記ヘアアイロンの側面図であり開状態を示す。
【図３】上記ヘアアイロンの平面図である。
【図４】図３に示すヘアアイロンのＡ−Ａ線における断面図であり開状態を示す。
【図５】上記ヘアアイロンの分解斜視図であり閉状態を示す。
【図６】第１上ケースを外した状態の上記ヘアアイロンの平面図であり、併せて分岐部による空気の分岐のイメージを示す。
【図７】図３に示すヘアアイロンのＢ−Ｂ線における第１把持体の断面図であり、併せて空気の流れと到達エリアをイメージにて示す。
【図８】図３に示すヘアアイロンのＣ−Ｃ線における断面を示す斜視図であり開状態を示す。
【図９】上記ヘアアイロンの分岐部に設けられた第１分岐リブ及び第２分岐リブを拡大して示す要部の平面図である。
【図１０】上記ヘアアイロンにおける吹出口から吹き出される空気の風速分布を調べた結果を、ヘアアイロン１の平面図と対応付けて示す図である。
【図１１】上記ヘアアイロンと比較例１のヘアアイロンとの毛髪の帯電量の違いを示す説明図である。
【図１２】上記ヘアアイロンと比較例２のヘアアイロンとのカール形成力の違いを示す説明図である。
【図１３】本発明の実施の形態２に係るヘアアイロンの要部の断面を示す斜視図である。
【図１４】本発明の実施の形態３に係るヘアアイロンの送風ダクトを示す斜視図である。
【図１５】本発明の実施の形態４に係るヘアアイロンの側面図であり開状態を示す。
【発明を実施するための形態】
【００１０】
〔実施の形態１〕
以下、本発明の実施の形態について、詳細に説明する。
【００１１】
（ヘアアイロン１の概略構成）
本発明に係るヘアアイロン１の構成の概略を図面を用いて具体的に説明する。図１はヘアアイロン１の外観斜視図であり、（ａ）は開状態、（ｂ）は閉状態を示す。図２はヘアアイロン１の側面図であり開状態を示す。図３はヘアアイロン１の平面図である。図４は図３に示すヘアアイロン１のＡ−Ａ線における断面図であり開状態を示す。
【００１２】
図１の（ａ）（ｂ）に示すように、ヘアアイロン１は、長手状の外観を有し、長手方向の一端部に給電コード３が接続されている。以下、ヘアアイロン１おける給電コード３が接続されている側を「基端側」と称し、その反対側を「先端側」と称する。
【００１３】
ヘアアイロン１は、それぞれ長手状をなす第１把持体１０及び第２把持体３０を備えている。第１把持体１０及び第２把持体３０は、長手状に形成され、互いが対向する面（対向面）とは反対側の外周面が外側に膨らむ曲面に形成された部分を有する。第１把持体１０及び第２把持体３０は何れも基端側が先端側よりも外側に膨らんでいる。
【００１４】
以下、第１把持体１０及び第２把持体３０の互いが対向する面を各々の「対向面」と称する。そして、対向面とは反対側の面（上述した外周面）を各々の「背面」と称する。すなわち、図３は、第１把持体１０を背面側から見た平面図となる。また、対向面と背面とに連なる第１把持体１０及び第２把持体３０の長手方向に沿った面を各々の「側面」と称する。また、第１把持体１０及び第２把持体３０における各々の一対の側面が対向する方向を「幅方向」あるいは「短手方向」と称する。
【００１５】
図２に示すように、第１把持体１０及び第２把持体３０における側方より見た場合のそれぞれの外側の稜線は、基端側端部を除いて基端側から長手方向の略中央部にかけて対向面に近づくように徐々に傾斜している。長手方向の略中央部から先端部にかけては、第２把持体３０の稜線は平らに延び、第１把持体１０の稜線は、途中に設けられた後述する隆起部１６ａによって一旦上昇している。
【００１６】
図３に示すように、第１把持体１０及び第２把持体３０を第１把持体１０の背面側より平面視した場合の形状は、基端側端部を除いて基端側で太く、長手方向の略中央部にかけて徐々に細くなる。長手方向の略中央部から先端部にかけては一定の幅を有している。
【００１７】
図４に示すように、このような第１把持体１０及び第２把持体３０は、各々の基端側でヒンジ部２と接続されている。第１把持体１０及び第２把持体３０はヒンジ部２を基端にして、閉状態と開状態との間で略Ｖ字状に拡開や閉塞することが可能となるように連結されている。閉状態とは第１把持体１０及び第２把持体３０が閉じている図１の（ｂ）に示す状態である。開状態とは第１把持体１０及び第２把持体３０が開いた図１の（ａ）に示す状態である。
【００１８】
ユーザは、ヘアアイロン１を使用する際、第１把持体１０及び第２把持体３０における基端側（端部を除く）から長手方向の略中央部にかけての部分を把持して、第１把持体１０及び第２把持体３０を相対的に回動させる。ヘアアイロン１は、ユーザの手のひらが位置する部分が太く、指が位置する部分が細く形成されていることで、把持し易くかつ開閉操作が行い易い構造となっている。また、後述する隆起部１６ａに親指を置いて把持することで、開閉操作がより一層行い易い構造となっている。
【００１９】
なお、図示してはいないが、第１把持体１０及び第２把持体３０において、ヒンジ部２と連結している基端側の所定部分に、第１把持体１０及び第２把持体３０が互いに拡開する方向に付勢力を付与するスプリングが配設されている。
【００２０】
図２に示すように、第１把持体１０は先端側に長手状の第１毛髪挟持部１１を備え、同様に、第２把持体３０は先端側に長手状の第２毛髪挟持部３１を備える。これら第１毛髪挟持部１１と第２毛髪挟持部３１とは対をなす。第１把持体１０に設けた第１毛髪挟持部１１は第１ヒータープレート１２を備え、第２把持体３０に設けた第２毛髪挟持部３１は第２ヒータープレート３２を備える。
【００２１】
図１の（ａ）に示すように、第１ヒータープレート１２及び第２ヒータープレート３２は何れも略直方体形状をなし、各々の裏面側には発熱体４０，４１（図４参照）が配設されている。第１ヒータープレート１２及び第２ヒータープレート３２の互いに対向する面が加熱面であり、第１把持体１０及び第２把持体３０の接近時に互いの加熱面が対向する。第１毛髪挟持部１１及び第２毛髪挟持部３１は、第１把持体１０及び第２把持体３０の接近時に毛髪を挟持して加熱する。
【００２２】
第１把持体１０は、さらに、空気を吸い込む吸込口１３と空気を吹き出す吹出口１４と操作部２４とを備える。吸込口１３は、第１把持体１０の基端側の両側面に開口されている。吹出口１４は、第１把持体１０の背面側に形成されており、側方に向かって開口されている。詳細については後述するが、吹出口１４は第１ヒータープレート１２の加熱面のある正面側に向けて空気を吹き出す吹出構造を有しており、正面側に向けて空気を吹き出すことができる。このような吸込口１３と吹出口１４とは、後述する送風ダクト１５（図５参照）により連通されている。
【００２３】
操作部２４は、第１把持体１０の基端側の片方の側面に吸込口１３に隣接して設けられている。操作部２４を用いて、ヘアアイロン１の電源のオンオフ、第１ヒータープレート１２及び第２ヒータープレート３２における設定温度の調節、吹出口１４から吹き出される空気の風量調節等を行うことができる。
【００２４】
（ヘアアイロン１の詳細構成）
続いて、ヘアアイロン１の詳細な構成について、図１〜図４に加えて図５〜図９を用いて説明する。図５はヘアアイロン１の分解斜視図であり閉状態を示す。図６は第１上ケース１６を外した状態のヘアアイロン１の平面図であり、併せて分岐部２３による空気の分岐のイメージを示す。図７は図３に示すヘアアイロン１のＢ−Ｂ線における第１把持体１０の断面図であり、併せて空気の流れと到達エリアＡをイメージにて示す。図８は図３に示すヘアアイロン１のＣ−Ｃ線における断面を示す斜視図であり開状態を示す。図９は、分岐部２３に設けられた第１分岐リブ２３ａ及び第２分岐リブ２３ｂを拡大して示す要部の平面図である。
【００２５】
図２及び図４に示すように、第２把持体３０は、第２把持体３０の外装体を形成する第２下ケース３６を有する。この第２下ケース３６に第２ヒータープレート３２及びその裏面に設けられた発熱体４１、第２ヒータープレート３２を支持する支持体４３が収容されている。
【００２６】
一方、第１把持体１０は、図２、図４及び図５に示すように、第１ヒータープレート１２、吸込口１３、吹出口１４、操作部２４の他に、第１上ケース１６、第１下ケース１７、送風ダクト１５、送風ファン１９、制御基板２０、電源基板２１、帯電粒子発生装置２２等を備える。
【００２７】
第１上ケース１６及び第１下ケース１７は嵌合し合う構成であり、第１把持体１０の外装体を形成する。送風ファン１９、制御基板２０、電源基板２１、帯電粒子発生装置２２は、第１下ケース１７に収容されている。第１ヒータープレート１２は、その裏面に設けられた発熱体４０及び第１ヒータープレート１２を支持する支持体４２と一体化されて第１上ケース１６の裏面側に嵌め合わされ、第１上ケース１６と第１下ケース１７とで挟持されている。
【００２８】
吸込口１３は、第１下ケース１７に設けられている。吸込口１３には、第１下ケース１７に開口した複数の通気孔１３ａと、塵埃を捕集するフィルタ（図示せず）とが配置される。一方、吹出口１４は、第１上ケース１６に設けられている。第１上ケース１６は、第１把持体１０の長手方向の略中央部より傾斜を付けて隆起する隆起部１６ａを有し、この隆起部１６ａに吹出口１４が設けられている。
【００２９】
送風ダクト１５は、これら吸込口１３と吹出口１４とを連通させるものである。送風ダクト１５は、図５、図６に示すように、送風ファン１９が配置される吸気側ダクトと、送風ファン１９の排気口１９ｂより空気流通方向下流側に設けられる排気側ダクト１５ａとを有する。排気側ダクト１５ａは、排気口１９ｂと吹出口１４とを連通する。
【００３０】
排気側ダクト１５ａは、第１上ケース１６の内面（裏面）側にダクト部材１８が取り付けられることで形成されている。ダクト部材１８を用いることで、排気側ダクト１５ａを、第１ヒータープレート１２を含む加熱機構と分離させて独立に設けることができる。独立させて設けることで、送風機能による加熱機構への影響を防止・抑制することができる。加熱機構とは、第１ヒータープレート１２及びその裏面に配された発熱体４０、支持体４２等を含む。特許文献１に開示したヘアアイロンにおいては、ヒータープレートの支持体を送風ダクトの隔壁として用いている。このような構成とすると、送風機能が加熱機構に影響を及ぼして加熱面の温度を低下させることがある。
【００３１】
送風ファン１９は、吸気側ダクトである吸込口１３と隣接する箇所に配置されている。送風ファン１９は例えばシロッコファンからなり、不図示のファンモータ及び羽根車１９ｃを備える。羽根車１９ｃはその回転軸線が第１把持体１０の幅方向に延び、その吸気口１９ａが吸込口１３に面する。なお、図５においては、羽根車１９ｃと羽根車１９ｃを収容するケーシング１９ｄとを分離して示している。
【００３２】
送風ファン１９の排気口１９ｂは、排気側ダクト１５ａに接続されている。送風ファン１９のファンモータによって羽根車１９ｃが回転すると、吸込口１３から吹出口１４に向かって送風ダクト１５に気流が流通する。なお、本実施の形態では送風ファン１９をシロッコファンとしたが、プロペラファンやターボファン形式の送風ファンであっても良い。
【００３３】
帯電粒子発生装置２２は、送風ファン１９の排気口１９ｂよりも空気流通方向下流側の排気側ダクト１５ａの裏面側（底面側）に配設されている。帯電粒子発生装置２２は、帯電粒子を放出するための放電に用いる一対の放電電極２２ａを備えている。放電電極２２ａは、ダクト部材１８の裏面側より排気側ダクト１５ａ内に挿通されている。放電電極２２ａは、発生させた帯電粒子を排気側ダクト１５ａに放出する。このような帯電粒子発生装置２２は、一対の放電電極２２ａやその他電子部品がハウジングに設けられ、例えばパッケージ化されている。帯電粒子発生装置２２はヘアアイロン１に対して着脱が可能に装着されている。
【００３４】
本実施の形態では、一対の放電電極２２ａには交流波形またはインパルス波形から成る正負各々の電圧が印加され、放電電極２２ａのコロナ放電により生成されたイオンが排気側ダクト１５ａに放出される。
【００３５】
正電圧を印加した放電電極２２ａのコロナ放電により空気中の水分子が電離して水素イオンが生成される。この水素イオンが溶媒和エネルギーにより空気中の水分子とクラスタリングする。これにより、Ｈ＋（Ｈ２Ｏ）ｍ（ｍは０または任意の自然数）から成る正の空気イオンの帯電粒子が発生して気流に混合される。
【００３６】
また、負電圧を印加した放電電極２２ａのコロナ放電により空気中の酸素分子または水分子が電離して酸素イオンが生成される。この酸素イオンが溶媒和エネルギーにより空気中の水分子とクラスタリングする。これにより、Ｏ２−（Ｈ２Ｏ）ｎ（ｎは任意の自然数）から成る負の空気イオンの帯電粒子が発生して気流に混合される。なお、本実施形態では帯電粒子発生装置２２によって正イオン及び負イオンを発生することとしているが、正イオンのみまたは負イオンのみを発生しても良い。
【００３７】
また、本発明において、帯電粒子には空気イオンのほかに帯電微粒子水も含むものとする。このとき、帯電粒子発生装置２２を例えば静電霧化装置によって構成しても良い。静電霧化装置によってラジカル成分を含む帯電微粒子水が生成される。すなわち、静電霧化装置に設けた放電電極をペルチェ素子により冷却することで放電電極の表面に結露水が生じる。次に、放電電極に負の高電圧を印加すると、結露水から負イオンを含む帯電微粒子水が生成される。また、放電電極に正の高電圧を印加すると、結露水から正イオンを含む帯電微粒子水が生成される。
【００３８】
送風ファン１９と帯電粒子発生装置２２との間には、制御基板２０と電源基板２１が配設されている。図８に示すように、制御基板２０と電源基板２１とはＬ字状に配設されている。このうち、制御基板２０は、第１下ケース１７に設けられた操作部２４の裏面側に配設され、電源基板２１は、第１下ケース１７における底部（対向面側）に配設されている。制御基板２０にはマイクロコンピュータ（図示しない）等の回路部品が搭載され、電源基板２１には、複数のコンデンサやトランス等の回路部品２７が搭載されている。
【００３９】
図６に示すように、排気側ダクト１５ａは、送風ファン１９の排気口１９ｂから空気流通方向下流側に向かって、第１部分１５ａ−１〜第４部分１５ａ−４の４つの部分に分けられる。最も上流側の第１部分１５ａ−１は、Ｌ字状に配された制御基板２０及び電源基板２１の配置スペースの空きスペースに配設されている。制御基板２０及び電源基板２１をＬ字に配置し、搭載される回路部品の配置を工夫することで、電源基板２１の上方に排気側ダクト１５ａのスペースを確保している。第１部分１５ａ−１のダクト幅は、空きスペースに配置できるように送風ファン１９の排気口１９ｂよりも幅方向が狭められている。
【００４０】
このように、第１部分１５ａ−１のダクト幅を狭めることで、制御基板２０及び電源基板２１の配置スペースの空きスペースに配置することができる。しかも、ダクト幅を狭くして流路の断面積を絞ることで、流通する空気の速度を速めることができる。
【００４１】
第１部分１５ａ−１の空気流通方向下流側に位置する第２部分１５ａ−２のダクト幅は、第１部分１５ａ−１よりも幅広に形成されている。この第２部分１５ａ−２は、帯電粒子発生装置２２の放電電極２２ａがダクト部材１８の底面より挿通されている箇所に相当する。このように、帯電粒子発生装置２２の放電電極２２ａが位置する部分でダクト幅を広げることで、空気の流れに乱れが起こり、帯電粒子発生装置２２より放出されたイオンを効率よく流通する空気に取り込むことができる。
【００４２】
第２部分１５ａ−２の空気流通方向下流側に位置する第３部分１５ａ−３は、第２部分１５ａ−２よりも再びダクト幅が狭められている。このように、第３部分１５ａ−３で再度、流路の断面積を絞ることで、再度、流通する空気の速度を速めることができる。
【００４３】
第３部分１５ａ−３の空気流通方向下流側に位置する第４部分１５ａ−４は、第３部分１５ａ−３よりも流路底面が先端側向かって登るように隆起している。また、図６において、一転鎖線Ｌ１は隆起部１６ａが隆起を開始する位置であり、一転鎖線Ｌ２は隆起部１６ａの終端を示す位置である。図６に示すように、第４部分１５ａ−４は、隆起部１６ａが隆起を開始する位置に相当する。これにより、第３部分１５ａ−３で速度を速めた空気を、速度を落とすことなく隆起部１６ａ送り込むことができる。
【００４４】
さらに、図４に示すように、排気側ダクト１５ａの底面は、送風ファン１９の排気口１９ｂが接続された箇所から隆起部１６ａに近づくにつれて、隆起部１６ａが形成されている第１上ケース１６の背面側トップとの距離が短くなるように傾斜している。排気側ダクト１５ａの底面に対し、このような隆起部１６ａに向かって登るような傾斜を付けることで、排気側ダクト１５ａを流通する空気は、角度を付けて隆起部１６ａの内側の天面１６ａ−１（図７参照）に到達する。
【００４５】
隆起部１６ａは、第１把持体１０の長手方向に沿って長手状に形成されており、第１把持体１０を背面側より平面視した場合に略直方体形状をなす（図３参照）。詳細には、隆起部１６ａは、先端側の辺が基端側の辺より短い台形形状をなす。隆起部１６ａは、第１ヒータープレート１２が配置されている第１毛髪挟持部１１の長手方向の略中央部近くまで延設され、傾斜を付けて元の高さに戻る（図２参照）。隆起部１６ａの幅方向の寸法は、第１上ケース１６の幅方向の寸法よりも小さく、また、第１ヒータープレート１２の幅方向の寸法よりも小さく形成されている（図７参照）。
【００４６】
吹出口１４は、このような隆起部１６ａの両方の側面に、隆起部１６ａの長手方向（第１把持体１０の長手方向）に沿って長手状に形成されており、側方に向かって開口している。吹出口１４は、第１ヒータープレート１２の加熱面のある第１把持体１０の正面側に向けて空気を吹き出す吹出構造を有しており、第１把持体１０の正面側に向けて空気を吹き出すことができる。
【００４７】
具体的には、図７に示すように、吹出口１４の開口の上縁部に、第１ヒータープレート１２の加熱面に対して傾斜をなす上斜面部２５を備える。上斜面部２５は２箇所の吹出口１４各々に対して設けられる。さらに、吹出口１４の開口の下縁部には、下縁部より連なる下斜面部２６を備える。排気側ダクト１５ａを流通して隆起部１６ａの内側の天面１６ａ−１に当たった空気は、上斜面部２５と下斜面部２６とに案内されることで、矢印Ｙ１に示すように、加熱面のある下方に向かって斜めに案内される。案内された空気は、吹出口１４が設けられた第１把持体１０の背面側から第１毛髪挟持部１１の側方に向かって広がりながら毛髪６０（第１毛髪挟持部１１及び第２毛髪挟持部３１に挟持された毛髪）に達する。
【００４８】
さらに、本実施の形態では、隆起部１６ａの内側は、空気を両側に設けられた２箇所の吹出口１４に向けるよう流路を分岐する分岐部２３となっている。分岐部２３は、排気側ダクト１５ａの底面に設けられた第１分岐リブ２３ａと第２分岐リブ２３ｂを有する。第１分岐リブ２３ａと第２分岐リブ２３ｂは、互いに反対方向を向く２箇所の吹出口１４に向けて排気側ダクト１５ａの流路を分岐させるものである。
【００４９】
第１分岐リブ２３ａは、第２分岐リブ２３ｂよりも空気流通方向上流側に位置する。したがって、分岐部２３に到達した空気は、まずは第１分岐リブ２３ａにて分岐される。第１分岐リブ２３ａは、図４に示すように、隆起部１６ａの内側の空間の高さ寸法の半分程の高さである。そして、第１分岐リブ２３ａは、図６及び図９に示すように、幅方向中央部から吹出口１４に近づくにつれて先端側に傾斜している。これにより、分岐部２３に到達した空気の下層側が、第１分岐リブ２３ａの傾斜に沿って、図６において矢印Ｙ２にて示すように、２箇所の吹出口１４へ、かつ、先端側に向かって斜めに案内される。
【００５０】
第１分岐リブ２３ａを通過した上半分の空気は、空気流通方向下流側の突き当たりに設けられた第２分岐リブ２３ｂに達し、第２分岐リブ２３ｂにて分岐される。第２分岐リブ２３ｂは、図４に示すように、到達したすべての空気を分岐できるように隆起部１６ａの内側の天面１６ａ−１に達する高さで形成されている。そして、第２分岐リブ２３ｂは、図６及び図９に示すように、幅方向中央部から吹出口１４に近づくにつれて先端側に傾斜している。これにより、分岐部２３の終端に到達した空気が、図６において矢印Ｙ３にて示すように、２箇所の吹出口１４へ、かつ、先端側に向かって斜めに案内される。
【００５１】
本実施の形態では、分岐リブを２つ設けた構成を示したが、分岐リブを３個以上設ける構成であってもよい。その場合、空気流通方向上流側に配された分岐リブが空気流通方向下流側に配された分岐リブよりも低い構成とすればよい。
【００５２】
さらに、本実施の形態においては、図９に示すように、幅方向中心線Ｌ３に直交する線分Ｌ４に対する第１分岐リブ２３ａの傾斜角をθ１、第２分岐リブ２３ｂの傾斜角をθ２とすると、θ１が浅くθ２をこれよりも深く設定している。これにより、θ１、θ２が等しい場合やθ１が深くθ２がこれよりも浅い場合に比べて、吹出口１４から吹き出される空気の到達エリアを広く確保することができる。
【００５３】
吹出口１４の基端側の縁は、図２に示すように、第１ヒータープレート１２の基端側の端よりも基端側にある。換言すると、第１ヒータープレート１２の基端側の端は、吹出口１４の基端側の縁よりも先端側に位置している。このような位置関係とすることで、第１ヒータープレート１２の基端側の端で加熱された毛髪に対しても、空気をより確実に送ることができる。
【００５４】
（ヘアアイロン１の効果の説明）
上記構成を有するヘアアイロン１の効果について説明する。ヘアアイロン１によれば、吹出口１４からイオンを含む空気が吹き出される。これにより、第１毛髪挟持部１１及び第２毛髪挟持部３１に挟持され、第１ヒータープレート１２及び第２ヒータープレート３２の加熱面にて加熱された毛髪を冷却すると共に、イオンの作用で、毛髪に帯電する静電気を除電することができる。
【００５５】
図１０は、吹出口から吹き出される空気の風速分布を調べた結果を、ヘアアイロン１の平面図と対応付けて示す図である。図１０においては、第１ヒータープレート１２の配置位置を破線にて示し、吹出口１４の形成領域を太線で示している。
【００５６】
図１０に示すように、風速０．５ｍ／ｓ以上の風が第１毛髪挟持部１１及び第２毛髪挟持部３１の側方９０ｍｍに到達している。また、風速０．５ｍ／ｓ以上の風は、第１ヒータープレート１２の先端部に、側方４０ｍｍより到達している。風速２．５ｍ／ｓ以上の風も、第１ヒータープレート１２の先端部に、側方９０ｍｍで到達している。そして、側方１０−３０ｍｍ、第１ヒータープレート１２の先端部より４０−５０ｍｍのエリアに、風速５．５ｍ／ｓ以上の風が到達している。このようなエリアに、風速のピーク値が位置するようにすることが好ましい。
【００５７】
このように、背面側に吹出口１４を設けることで、空気の到達エリアを、特許文献１に開示したヘアアイロンの空気の到達エリアよりも広いものとできる。これにより、第１毛髪挟持部１１及び第２毛髪挟持部３１（図１の（ａ）参照）との間を通過した毛髪に対し、従来よりも長い時間イオンを含む空気を当てることが可能となる。その結果、冷却効果が向上し、加熱面の設定温度を毛髪に対する負担の少ない従来よりも低い温度としても、従来と同様のスタイリング性を確保できる。
【００５８】
ヘアアイロンの空気の到達エリアを広くすることで、冷却効果を高めてスタイリング性を向上させるためには、少なくとも第１毛髪挟持部１１及び第２毛髪挟持部３１の側方９０ｍｍ以上に風速０．５ｍ／ｓ以上で到達するように空気を吹き付けることが必要であることを確認している。
【００５９】
通常であれば設定温度を低下させると毛髪に帯電する静電気量が増えてスタイリングを行い難くなる。しかしながら、空気の到達エリアが広がって除電効果が上がることでそのような問題もない。
【００６０】
また、上記構成とすることで、加熱面の近傍位置に空気が集中して供給されることがないので、吹き出された空気にて加熱面の熱が奪われることを抑制して熱効率の向上を図ることができる。
【００６１】
また、吹出口１４を背面側に設けたことで、ヘアアイロン１の第１毛髪挟持部１１及び第２毛髪挟持部３１が設けられた先端側の幅（短手方向の寸法）を、特許文献１に開示されたヘアアイロンよりも狭くすることができる。これにより、微細なスタイリングに対応することが可能となる。
【００６２】
さらに、ヘアアイロン１においては、吹出口１４を第１把持体１０の先端側を避けて第１把持体１０の長手方向の中央部寄りに設け、正面側でかつ第１把持体１０の先端側に向けて空気を吹き出す構造としている。このような構成とすることで、第１把持体１０の先端側の形状をさらに小さくすることができ、より一層微細なスタイリングに対応することが可能となる。なお、ヘアアイロンの先端側の構造は大きくなるが、吹出口１４をヘアアイロンの先端側から設けてもよい。
【００６３】
加えて、ヘアアイロン１においては、図１０に示すように、吹出口１４から風速０．５ｍ／ｓ以上の風は、第１ヒータープレート１２の先端側の端部（加熱面の先端側の端部）に到達している。これにより、ヘアアイロン１の先端側の加熱面だけを用いた微細なスタイリングに対応可能となる。
【００６４】
ここで、より好ましくは、吹出口１４から風速０．５ｍ／ｓ以上の風が第１ヒータープレート１２の基端側の端部（加熱面の基端側の端部）にも到達するように吹出口１４を設けることである。これにより、加熱面全面を用いた整髪からヘアアイロン１の先端側の加熱面だけを用いた微細なスタイリングまでが対応可能となる。
【００６５】
次に、本実施の形態のヘアアイロン１の使用による毛髪の除電効果を調べた結果について図１１を用いて説明する。図１１は、本実施の形態のヘアアイロン１（実施例１）と比較例１のヘアアイロンとの毛髪の帯電量の違いを示す説明図である。図１１は、走査後の毛髪の静電気量（ｋＶ）を示している。
【００６６】
試料として３人分の人毛黒髪を用い、各毛髪に対して走査試験を行った。試験環境は、温度２３．５℃、湿度３６％ＲＨであった。走査試験の設定温度（第１ヒータープレート及び第２ヒータープレートの温度）、本実施の形態のヘアアイロン１（実施例１）は１２０℃、比較例１のヘアアイロンは１４０℃とした。なお、比較例１のヘアアイロンは、特許文献１に開示した構成を有するヘアアイロンである。
【００６７】
３人分の人毛黒髪それぞれ５０ｃｍ、５ｇを束ね、結束部から長さ３０ｃｍで切りそろえた後、１％ラウリル硫酸ナトリウム水溶液で洗浄し、その後乾燥させた。乾燥後の毛髪の静電気量が１ｋＶ未満であること確認した。
【００６８】
次いで、３０ｃｍの毛束に対し約８秒間で１回走査した。走査の回数は１回のみとした。本実施の形態のヘアアイロン１（実施例１）では１２０℃で、比較例１のヘアアイロン（比較例１）で１４０℃にて行った。走査後の毛髪の静電気量（ｋＶ）を、測定器としてＳＩＭＣＯ社製ＦＭＸ−００３を用いて測定した。測定位置は、結束部下１５ｃｍの位置とした。
【００６９】
図１１に示すように、本実施の形態のヘアアイロン１においては、１２０℃の使用において、走査後の毛髪の静電気量の平均は０．５３７ｋＶである。一方、比較例１である従来技術のヘアアイロンの１４０℃の使用における走査後の毛髪の静電気量の平均は０．７３７ｋＶであった。このことから、本実施の形態のヘアアイロン１においては、従来技術のヘアアイロンと同等以上の除電力があることがわかる。
【００７０】
次に、本実施の形態のヘアアイロン１の使用による毛髪のスタイリング性としてカール形成効果を調べた結果について図１２を用いて説明する。図１２は、本実施の形態のヘアアイロン１（実施例２）と比較例２のヘアアイロンとのカール形成力の違いを示す説明図である。図１２は、走査後の毛先のＲ値（ｍｍ）を示している。
【００７１】
試料として３人分の人毛黒髪を用い、各毛髪に対して走査試験を行った。試験環境は、温度２５．０℃、湿度３７％ＲＨであった。走査試験の設定温度（第１ヒータープレート及び第２ヒータープレートの温度）、本実施の形態のヘアアイロン１（実施例２）は１２０℃、比較例２のヘアアイロンは１４０℃とした。なお、比較例２のヘアアイロンは、特許文献１に開示した構成を有するヘアアイロンである。
【００７２】
３人分の人毛黒髪それぞれ５０ｃｍ、５ｇを束ね、結束部から長さ３０ｃｍで切りそろえた後、１％ラウリル硫酸ナトリウム水溶液で洗浄し、その後乾燥させた。乾燥後の毛髪に対し、予め毛髪をストレートに整えた。ストレートに整える処置は、全て、本実施の形態のヘアアイロン１を用いて行った。
【００７３】
次いで、毛髪の長さ方向に対して直角方向にプレートで挟み、３０ｃｍの毛束に対し約８秒間で１回走査した（毛髪の長さ方向にスライド）。走査の際、実施例２、比較例２共に、吹出口が設けられた把持体側をカールの内側に位置させた。走査の回数は１回のみとした。本実施の形態のヘアアイロン１（実施例２）では１２０℃で、比較例２のヘアアイロン（比較例２）で１４０℃にて行った。走査後の毛先のＲ値（ｍｍ）を測定した。測定位置は、結束部下１５ｃｍの位置とした。
【００７４】
図１２に示すように、本実施の形態のヘアアイロン１においては、１２０℃の使用において、走査後の毛先のＲ値の平均は７１．２０ｍｍであった。一方、比較例２である従来技術のヘアアイロンの１４０℃の使用における走査後の毛先のＲ値の平均は７２．９０ｍｍであった。走査後の毛先のＲ値の平均は、小さい方がより微細なスタイリングを行える。このことから、本実施の形態のヘアアイロン１においては、従来技術のヘアアイロンと同等以上のカール力をより低い設定温度にて得られることがわかる。
【００７５】
〔実施の形態２〕
本発明の他の実施の形態について、図１３に基づいて説明すれば、以下のとおりである。なお、説明の便宜上、前記実施形態にて説明した部材と同じ機能を有する部材については、同じ符号を付記し、その説明を省略する。
【００７６】
図１３は、本発明の実施の形態２に係るヘアアイロン１Ａ（図１参照）の要部の断面を示す斜視図である。本実施の形態のヘアアイロン１Ａは、実施の形態１のヘアアイロン１において、送風ダクト１５の吸気側ダクトに仕切り板４５を設けた構成である。仕切り板４５は、嵌め合わされ第１上ケース１６および第１下ケースの隙間から吸気側ダクトとの間の空気の流通を仕切れるものである。仕切り板４５は、第１下ケース１７の内壁に設けられていても、送風ファン１９のケーシング１９ｄ（図５参照）の側壁に設けられていてもよい。
【００７７】
このような仕切り板４５を設けることで、第１上ケース１６および第１下ケースの隙間から吸気側ダクト（送風ダクト１５）内へ引き込まれる空気の流れを遮断することができる。これにより、送風ダクト１５の独立性をより一層高めることができ、送風機能による加熱機構への影響をより一層効果的に防止・抑制することができる。
【００７８】
〔実施の形態３〕
本発明の他の実施形態について、図１４に基づいて説明すれば、以下のとおりである。なお、説明の便宜上、前記実施形態にて説明した部材と同じ機能を有する部材については、同じ符号を付記し、その説明を省略する。
【００７９】
図１４は、本発明の実施の形態３に係るヘアアイロン１Ｂ（図１参照）の送風ダクト１５を示す斜視図である。本実施の形態のヘアアイロン１Ｂは、実施の形態１のヘアアイロン１において、図１４に示すように、ダクト部材１８における第１上ケース１６（図５参照）の内面（裏面）側と接する部分にシール５２を設けた構成である。シール５２は、第１上ケース１６とダクト部材１８との隙間からの排気側ダクト１５ａを流通する空気の漏れを防止・抑制するものである。シール５２は、第１上ケース１６の内側（裏面）に設けられていてもよい。
【００８０】
このような仕切り板を設けることで、第１上ケース１６とダクト部材１８との隙間からの排気側ダクト（送風ダクト１５）を流通する空気の漏れを防止・抑制することができる。これにより、送風ダクト１５の独立性をより一層高めることができ、送風機能による加熱機構への影響をより一層効果的に防止・抑制することができる。
【００８１】
なお、実施の形態２のヘアアイロン１Ａであれば、仕切り板が第１下ケース１７の内側あるいは送風ファン１９のケーシング１９ｄの外側と当接する箇所に対してもシールを設けることが好ましい。
【００８２】
〔実施の形態４〕
本発明の他の実施形態について、図１５に基づいて説明すれば、以下のとおりである。なお、説明の便宜上、前記実施形態にて説明した部材と同じ機能を有する部材については、同じ符号を付記し、その説明を省略する。
【００８３】
図１５は、本発明の実施の形態４に係るヘアアイロン１Ｃの側面図であり開状態を示す。本実施の形態のヘアアイロン１Ｃは、実施の形態１のヘアアイロン１において、図１５に示すように、吸込口１３、吹出口１４、送風ダクト１５、送風ファン１９等を含む送風機構が、第２把持体３０Ｃ側にも設けた構成である。第２把持体３０Ｃの第２下ケース３６に隆起部３６ａが設けられ、この隆起部３６ａに吹出口１４が形成されている。
【００８４】
第１把持体１０及び第２把持体３０Ｃの両方に送風機能を設けることで、第１ヒータープレート１２及び第２ヒータープレート３２の加熱面にて加熱された毛髪を表裏両面側から冷却して除電することができる。これにより、冷却および除電の効果をさらに高めることができ、より一層、意図したスタイリングを実現させやすいスタイリング性に優れたヘアアイロンを提供することができる。
【００８５】
〔実施の形態５〕
本発明の他の実施形態について説明する。なお、説明の便宜上、前記実施形態にて説明した部材と同じ機能を有する部材については、同じ符号を付記し、その説明を省略する。
【００８６】
本実施の形態のヘアアイロン１Ｄ（図１参照）は、実施の形態１のヘアアイロン１において、帯電粒子発生装置２２を備えていない構成である。帯電粒子発生装置２２を備えていないため、吹出口１４から吹き出される空気は帯電粒子を含むものではない。しかしながら、上述したように、第１毛髪挟持部１１及び第２毛髪挟持部３１（図１の（ａ）参照）との間を通過した毛髪に対し、従来よりも長い時間空気を当てることが可能となる。その結果、冷却効果が向上し、これにより、スタイリング保持力を高めてスタイリング性が向上する。
【００８７】
なお、実施の形態２〜４のヘアアイロン１Ａ〜１Ｃにおいても、帯電粒子発生装置２２を備える構成とすることができる。すなわち、帯電粒子発生装置２２は、本願発明において必須の構成要素ではない。
【００８８】
〔まとめ〕
本発明の態様１に係るヘアアイロン１〜１Ｄは、毛髪挟持部（第１毛髪挟持部１１、第２毛髪挟持部３１）に加熱面を備えると共に搖動可能に連結された一対の長手状の把持体（第１把持体１０、第２把持体３０）を備え、前記一対の把持体の少なくとも何れか一方に、空気の吸込口１３及び吹出口１４と、前記吸込口１３及び前記吹出口１４を連通させる送風ダクト１５と、前記送風ダクト１５に気流を流通させる送風ファン１９とを備え、前記吹出口１４は、当該吹出口１４を備える前記把持体（第１把持体１０）の前記加熱面を正面とする背面側に設けられると共に側方に向かって開口され、かつ、前記正面側に向けて空気を吹き出す吹出構造（上斜面部２５，下斜面部２６）を有することを特徴とする。
【００８９】
上記構成によれば、一対の把持体の少なくとも何れか一方に設けられた吹出口１４から、空気が吹き出される。これにより、一対の把持体の毛髪挟持部間に挟持され加熱面にて加熱された毛髪を冷却することができる。
【００９０】
しかも、上記構成によれば、吹出口１４を把持体の加熱面を正面とする背面側に設けると共に側方に向かって開口させ、かつ、吹き出し構造にて正面側に向けて空気を吹き出させるようにしている。
【００９１】
このような構成とすることで、把持体の側面に吹出口１４を設けた構成よりも空気を広いエリアに送ることが可能となる。これにより、一対の把持体の毛髪挟持部間を通過した毛髪に対し、従来よりも長い時間空気を当てることが可能となる。その結果、冷却効果が向上し、スタイリング保持力を高めてスタイリング性を向上させることができる。
【００９２】
また、上記構成では、加熱面の近傍位置に空気が集中して供給されることがないので、吹き出された空気にて加熱面の熱が奪われることを抑制して熱効率を向上できる。
【００９３】
さらに、吹出口１４を背面側に設けたことで、把持体の加熱面の有る部分（毛髪挟持部の有る部分）の幅（短手方向の寸法）を、吹出口を側面に設けた構成よりも狭くすることができる。これにより、微細なスタイリングに対応することが可能となる。
【００９４】
本発明の態様２に係るヘアアイロン１〜１Ｄは、さらに、前記毛髪挟持部は、前記一対の把持体の連結されている基端側とは反対の先端側に設けられ、前記吹出口１４は、前記把持体の先端側を避けて前記把持体の長手方向の中央部寄りに設けられている構成である。
【００９５】
上記構成とすることで、把持体の先端部の形状を先端部の背面側に吹出口を設けた構成よりも小さくすることができる。これにより、より一層微細なスタイリングに対応することが可能となる。
【００９６】
本発明の態様３に係るヘアアイロン１〜１Ｄは、さらに、前記送風ダクト１５は、前記加熱面を含む加熱機構とは独立して設けられている構成とすることもできる。
【００９７】
上記構成とすることで、送風ダクト１５を加熱機構と独立して設けることで、送風機能が加熱機構に影響を及ぼすことを防止できる。
【００９８】
本発明の態様４に係るヘアアイロン１〜１Ｄは、さらに、前記吹出口１４から吹き出される空気が、前記加熱面の前記先端側端部の側方位置に到達する構成とすることもできる。
【００９９】
上記構成とすることで、ヘアアイロン１〜１Ｄの先端部を用いた微細なスタイリングにより一層対応することができる。
【０１００】
本発明の態様５に係るヘアアイロン１〜１Ｄは、さらに、前記吹出口１４は、前記背面側に互いに反対方向を向くように２箇所に設けられ、前記送風ダクト１５に、前記送風ファンが流通させる気流を前記２箇所の吹出口１４各々に向けるよう流路を分岐する分岐部２３が設けられ、前記分岐部２３は、空気流通方向に沿って配設された複数の分岐リブ（第１分岐リブ２３ａ，第２分岐リブ２３ｂ）を備え、前記複数の分岐リブは、前記一対の把持部の幅方向中央部から前記吹出口１４に近づくにつれて前記一対の把持部の先端側に向かって傾斜し、かつ、空気流通方向上流側に配された分岐リブ（第１分岐リブ２３ａ）が空気流通方向下流側に配された分岐リブ（第２分岐リブ２３ｂ）よりも低い構成とすることもできる。
【０１０１】
上記構成とすることで、複数の分岐リブを用いて、２箇所の吹出口１４へ分岐し、かつ、一対の把持部の先端側に向かって斜めに案内することができる。
【０１０２】
本発明の態様６に係るヘアアイロン１Ｄは、ヘアアイロン１〜１Ｃにおいて、前記送風ダクト１５を流通する気流に帯電粒子を放出する帯電粒子発生装置２２を備える構成である。
【０１０３】
上記構成によれば、一対の把持体の毛髪挟持部間に挟持され加熱面にて加熱された毛髪に除電効果のある帯電粒子を含む空気を当てることができる。しかも、前述したように、従来よりも長い時間、帯電粒子を含む空気を当てることができる。これにより、冷却効果と共に除電効果も向上し、加熱面の設定温度を毛髪に対する負担の少ない従来よりも低い温度としても、従来と同様のスタイリング性を確保できる。通常であれば設定温度を低下させると毛髪に帯電する静電気量が増えてスタイリングを行い難くなるが、除電効果が上がることでそのような問題もない。
【０１０４】
本発明の態様７に係る毛髪の形を整える方法は、ヘアアイロンにおける加熱面を備えた一対の毛髪挟持部に挟持されて加熱された毛髪に対して、前記加熱面を正面とする前記ヘアアイロンの背面側に設けた吹出口より空気を、少なくとも前記一対の毛髪挟持部の側方に風速０．５ｍ／ｓ以上で到達するように吹き付けて毛髪の形を整えるものである。
【０１０５】
これにより、一対の把持体の毛髪挟持部間を通過した毛髪に対し、従来よりも長い時間空気を当てることが可能となる。その結果、冷却効果が向上し、スタイリング保持力を高めてスタイリング性を向上させることができる。
【０１０６】
本発明の態様８に係る毛髪の形を整える方法は、風速０．５ｍ／ｓ以上の空気を、少なくとも前記一対の毛髪挟持部の側方９０ｍｍ以上に到達するように吹き付けて毛髪の形を整えるものである。
【０１０７】
これにより、一対の把持体の毛髪挟持部間を通過した毛髪に対し、従来よりもより一層長い時間空気を当てることが可能となる。その結果、冷却効果が向上し、スタイリング保持力を高めてスタイリング性を向上させることができる。
【０１０８】
本発明の態様９に係る毛髪の形を整える方法は、さらに、吹き付けられる空気に帯電粒子が含まれているものである。
【０１０９】
これによれば、一対の把持体の毛髪挟持部間を通過した毛髪に対し、従来よりも長い時間除電効果のある帯電粒子を含む空気を当てることが可能となる。これにより、冷却効果と共に除電効果も向上し、加熱面の設定温度を毛髪に対する負担の少ない従来よりも低い温度としても、従来と同様のスタイリング性を確保できる。通常であれば設定温度を低下させると毛髪に帯電する静電気量が増えてスタイリングを行い難くなるが、除電効果が上がることでそのような問題もない。
【０１１０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１１】
１、１Ａ、１Ｂ、１Ｃ  ヘアアイロン
２  ヒンジ部
３  給電コード
１０  第１把持体（把持体）
１１  第１毛髪挟持部
１２  第１ヒータープレート
１３  吸込口
１３ａ  通気孔
１４  吹出口
１５  送風ダクト
１５ａ  排気側ダクト
１５ａ−１  第１部分
１５ａ−２  第２部分
１５ａ−３  第３部分
１５ａ−４  第４部分
１６  第１上ケース
１６ａ、３６ａ  隆起部
１６ａ−１  天面
１７  第１下ケース
１８  ダクト部材
２２  帯電粒子発生装置
２２ａ  放電電極
１９  送風ファン
１９ｂ  排気口
１９ａ  吸気口
１９ｃ  羽根車
１９ｄ  ケーシング
２０  制御基板
２１  電源基板
２３  分岐部
２３ａ  第１分岐リブ（分岐リブ）
２３ｂ  第２分岐リブ（分岐リブ）
２４  操作部
２５  上斜面部
２６  下斜面部
２７  回路部品
３０、３０Ｃ  第２把持体
３１  第２毛髪挟持部
３２  第２ヒータープレート
３６  第２下ケース
４０、４０，４１、４１  発熱体
４２、４３  支持体
５２  シール
【図１】
2018235306.tif 000003
【図２】
2018235306.tif 000004
【図３】
2018235306.tif 000005
【図４】
2018235306.tif 000006
【図５】
2018235306.tif 000007
【図６】
2018235306.tif 000008
【図７】
2018235306.tif 000009
【図８】
2018235306.tif 000010
【図９】
2018235306.tif 000011
【図１０】
2018235306.tif 000012
【図１１】
2018235306.tif 000013
【図１２】
2018235306.tif 000014
【図１３】
2018235306.tif 000015
【図１４】
2018235306.tif 000016
【図１５】
2018235306.tif 000017
【国際調査報告】
2018235306.tif 000018
2018235306.tif 000019
2018235306.tif 000020
2018235306.tif 000021